(57)【要約】【解決手段】    固定窓（Ｍ）を一つ有し、固定窓（Ｍ）を便座クッションと便座クッション固定孔の間に挟むことにより、便座裏面に強固に固定する機能を具備し、便座の外側に延伸したレバー部を操作することにより、簡便に便座の昇降を可能とする機能を具備する便座昇降レバーであって、前記固定窓のパラメーターである、Ｌ（固定用窓の長さ）、Ｒ（固定用窓両端の穿孔半径）、Ｗ（便座昇降レバーの幅）、Ｄ（便座昇降レバーの厚み）、及び、Ｎ（便座昇降レバーの全長）が、特定の数値範囲であることを特徴とする便座昇降レバー。【効果】  便座昇降レバーを使用することにより、便座の昇降操作を衛生的かつ簡便にすることができる。【選択図】  図５
2010035703.tif 000002
【特許請求の範囲】
【請求項１】
固定窓（Ｍ）を一つ有し、固定窓（Ｍ）を便座クッションと便座クッション固定孔の間に挟むことにより、便座裏面に強固に固定する機能を具備し、便座の外側に延伸したレバー部を操作することにより、簡便に便座の昇降を可能とする機能を具備する便座昇降レバーであって、
前記固定窓のパラメーターである、
Ｌ（固定用窓の長さ）、
Ｒ（固定用窓両端の穿孔半径）、
Ｗ（便座昇降レバーの幅）、
Ｄ（便座昇降レバーの厚み）、及び、
Ｎ（便座昇降レバーの全長）が、
４０ミリメートル≦Ｌ≦５０ミリメートル、
７ミリメートル≦Ｒ≦１０ミリメートル、
２Ｒ＜Ｗ≦５０ミリメートル、
１ミリメートル≦Ｄ≦４ミリメートル、及び、
５０ミリメートル≦Ｎ≦２００ミリメートル
であることを特徴とする便座昇降レバー。
【請求項２】
固定窓（Ｍ１）と固定窓（Ｍ２）の二つの固定窓を有し、それぞれの固定窓（Ｍ１、Ｍ２）を、二つの便座クッション固定孔と、便座クッションの二つのゴム製筍上凸部の間に挟むことにより、便座裏面に強固に固定する機能を具備し、便座の外側に延伸したレバー部を操作することにより、簡便に便座の昇降を可能とする機能を具備する便座昇降レバーであって、
前記固定窓（Ｍ１、Ｍ２）のパラメーターである、
Ｌ（二つの固定用窓の両端の距離）、
Ｒ（固定用窓両端の穿孔半径）、
Ｗ（便座昇降レバーの幅）、
Ｄ（便座昇降レバーの厚み）、及び、
Ｎ（便座昇降レバーの全長）が、
４０ミリメートル≦Ｌ≦５０ミリメートル、
７ミリメートル≦Ｒ≦１０ミリメートル、
２Ｒ＜Ｗ≦５０ミリメートル、
１ミリメートル≦Ｄ≦４ミリメートル、及び、
５０ミリメートル≦Ｎ≦２００ミリメートル
であることを特徴とする便座昇降レバー。
【発明の詳細な説明】
【技術分野】
【０００１】
本発明は、便座の裏面に取り付けることにより、便座の昇降操作を衛生的かつ簡便にすることができる便座昇降レバーに関する。
【背景技術】
【０００２】
従来の技術において、便座の昇降操作を衛生的かつ簡便にするための便座昇降レバーは、足踏み式等、機構が複雑であったり、取り付け方法が煩雑なものしかなかった。
【０００３】
従って、従来の技術においては、便座の昇降操作を衛生的かつ簡便にすることができる便座昇降レバーが存在しないのが現状である。
【０００４】
【特許文献１】特開２００１−０６１７０７号
【特許文献２】特開２０００−１７５８４５号
【特許文献３】特開２００３−２９９５９７号
【特許文献４】特開２００３−１６６２７８号
【発明の開示】
【発明が解決しようとする課題】
【０００５】
本出願に係る発明が解決しようとする課題は、便座の昇降操作を衛生的かつ簡便にすることができる便座昇降レバーを提供することである。
【課題を解決するための手段】
【０００６】
本出願に係る発明における課題を解決するための手段は、以下に記述する「第１発明」及び「第２発明」のとおりである。
【０００７】
［第１発明］  固定窓（Ｍ）を一つ有し、固定窓（Ｍ）を便座クッションと便座クッション固定孔の間に挟むことにより、便座裏面に強固に固定する機能を具備し、便座の外側に延伸したレバー部を操作することにより、簡便に便座の昇降を可能とする機能を具備する便座昇降レバーであって、
前記固定窓のパラメーターである、
Ｌ（固定用窓の長さ）、
Ｒ（固定用窓両端の穿孔半径）、
Ｗ（便座昇降レバーの幅）、
Ｄ（便座昇降レバーの厚み）、及び、
Ｎ（便座昇降レバーの全長）が、
４０ミリメートル≦Ｌ≦５０ミリメートル、
７ミリメートル≦Ｒ≦１０ミリメートル、
２Ｒ＜Ｗ≦５０ミリメートル、
１ミリメートル≦Ｄ≦４ミリメートル、及び、
５０ミリメートル≦Ｎ≦２００ミリメートル
であることを特徴とする便座昇降レバー。
【０００８】
［第２発明］  固定窓（Ｍ１）と固定窓（Ｍ２）の二つの固定窓を有し、それぞれの固定窓（Ｍ１、Ｍ２）を、二つの便座クッション固定孔と、便座クッションの二つのゴム製筍上凸部の間に挟むことにより、便座裏面に強固に固定する機能を具備し、便座の外側に延伸したレバー部を操作することにより、簡便に便座の昇降を可能とする機能を具備する便座昇降レバーであって、
前記固定窓（Ｍ１、Ｍ２）のパラメーターである、
Ｌ（二つの固定用窓の両端の距離）、
Ｒ（固定用窓両端の穿孔半径）、
Ｗ（便座昇降レバーの幅）、
Ｄ（便座昇降レバーの厚み）、及び、
Ｎ（便座昇降レバーの全長）が、
４０ミリメートル≦Ｌ≦５０ミリメートル、
７ミリメートル≦Ｒ≦１０ミリメートル、
２Ｒ＜Ｗ≦５０ミリメートル、
１ミリメートル≦Ｄ≦４ミリメートル、及び、
５０ミリメートル≦Ｎ≦２００ミリメートル
であることを特徴とする便座昇降レバー。
【０００９】
本出願に係る「特許請求の範囲」、「明細書」、及び、「図面」において用いる「便座クッション」及び「便座クッション固定用孔」について、図１〜図４に図解した。
【発明の効果】
【００１０】
本出願に係る便座昇降レバーを使用することにより、便座の昇降操作を衛生的かつ簡便にすることができる。
【発明を実施するための最良の形態】
【００１１】
本出願に係る発明における最良の形態を、実施例１及び実施例２に示した。
【実施例１】
【００１２】
本出願に係る発明における好ましい態様のうちの一つ（固定用窓ひとつタイプ）を図５〜図６に図解した。
【実施例２】
【００１３】
本出願に係る発明における好ましい態様のうちの一つ（固定用窓ふたつタイプ）を図７〜図８に図解した。
【００１４】
実施例１に示した好ましい態様（固定用窓ひとつタイプ）の取り付け手順を、図９〜図１０に図解した。
【００１５】
実施例１に示した好ましい態様（固定用窓ひとつタイプ）の使用状態を、図１１に図解した。
【００１６】
実施例１に示した好ましい態様（固定用窓ひとつタイプ）の使用手順を、図１２に図解した。
【００１７】
実施例１に示した好ましい態様（固定用窓ひとつタイプ）、及び、実施例２に示した好ましい態様（固定用窓ひとつタイプ）における、便座昇降レバーの全長（Ｎ）の具体例を図１３に図解した。
【図面の簡単な説明】
【００１８】
【図１】便座側の便座クッション固定孔に固定された状態の便座クッションの外観。
【図２】便座クッション固定用孔と便座クッションの外観。
【図３】便座クッション外観写真（側面図、上面図、底面図）。
【図４】便座クッション外観図面（側面図、上面図、底面図）。
【図５】実施例１（本出願に係る発明における好ましい態様のうちの一つ、固定用窓ひとつタイプ）。
【図６】実施例１（本出願に係る発明における好ましい態様のうちの一つ、固定用窓ひとつタイプ）におけるパラメーター。
【図７】実施例２（本出願に係る発明における好ましい態様のうちの一つ、固定用窓ふたつタイプ）。
【図８】実施例２（本出願に係る発明における好ましい態様のうちの一つ、固定用窓ふたつタイプ）におけるパラメーター。
【図９】実施例１に示した好ましい態様（固定用窓ひとつタイプ）の取り付け手順。
【図１０】実施例１に示した好ましい態様（固定用窓ひとつタイプ）の取り付け手順。
【図１１】実施例１に示した好ましい態様（固定用窓ひとつタイプ）の使用状態。
【図１２】実施例１に示した好ましい態様（固定用窓ひとつタイプ）の使用手順。
【図１３】実施例１に示した好ましい態様（固定用窓ひとつタイプ）、及び、実施例２に示した好ましい態様（固定用窓ひとつタイプ）における、便座昇降レバーの全長（Ｎ）の具体例。
【符号の説明】
【００１９】
Ｌ；固定用窓の長さ、又は、二つの固定用窓の両端の距離
Ｒ；固定用窓両端の穿孔半径
Ｗ：便座昇降レバーの幅
Ｄ；便座昇降レバーの厚み
Ｎ；便座昇降レバーの全長
【図１】
2010035703.tif 000003
【図２】
2010035703.tif 000004
【図３】
2010035703.tif 000005
【図４】
2010035703.tif 000006
【図５】
2010035703.tif 000007
【図６】
2010035703.tif 000008
【図７】
2010035703.tif 000009
【図８】
2010035703.tif 000010
【図９】
2010035703.tif 000011
【図１０】
2010035703.tif 000012
【図１１】
2010035703.tif 000013
【図１２】
2010035703.tif 000014
【図１３】
2010035703.tif 000015